(57)【要約】【課題】一体的に搭載されたカメラユニットへの静電気の影響を効果的に除去し得る電子装置を提供する。【解決手段】カメラユニット２２を収容するケーシング２ａの長手方向の両側部に位置する第２導電体２ｂの上部および下部には、静電気を飛び込ませ吸収し、接点端子２５０を介して静電用グランド２４０に流す目的で、円筒状をなす回転体２３の側面に沿うように複数の爪片２５１が形成されている。これにより、カメラユニット２２への静電気は、爪片２５１、第２導電体２ｂ、接点端子２５０を介して静電用グランドに放電され、カメラユニット２２への静電気の影響が効果的に除去される。【選択図】      図７
2005051430.tif 000002
【特許請求の範囲】
【請求項１】
筐体と、
上記筐体に配置されたカメラユニットと、を有し、
上記カメラユニットは、
撮像手段と、
少なくとも一つの開口部が形成され、上記筐体の所定の位置に配置されるケーシングと、
上記撮像手段が収容され、当該撮像手段における被撮像対象を撮像するための撮像部が上記開口部に位置可能に上記ケーシングに回転可能に軸支された回転体と、
上記開口部において上記回転体の側面近傍に位置するように設けられた導電体と、を含む
ことを特徴とする電子装置。
【請求項２】
上記導電体は、複数の爪片を有する
ことを特徴とする請求項１に記載の電子装置。
【請求項３】
上記筐体内に、上記カメラユニットのケーシングを収容可能な収容部と、装置用グランドラインとが形成され、
上記導電体は、上記ケーシングに取り付けられ、当該ケーシングが上記筐体の収容部に収容された際に上記装置用グランドラインと電気的に接続可能に形成されている
ことを特徴とする請求項１または２に記載の電子装置。
【請求項４】
上記筐体は、少なくとも上記カメラユニットが収容される基体部と、上記基体部の収容側の第１面を覆うように当該基体部に取り付け可能な蓋体部とを有し、上記基体部および上記蓋体部の少なくとも一方に、上記カメラユニットの開口部と対向し、外部側から少なくとも上記撮像部を含む回転体に対して回転力を付与可能な開口部が形成されている
ことを特徴とする請求項１から３のいずれかに記載の電子装置。
【請求項５】
上記回転体には、上記撮像手段の撮像部に対して並列に発光部が収容されており、
上記発光部の近傍に配置される導電体の爪片は、他の位置の爪片より幅広に形成されている
ことを特徴とする請求項２から４のいずれかに記載の電子装置。
【請求項６】
上記回転体は、円筒状に形成され、
上記導電体は、上記回転体を上記開口部に臨む一部を除いて覆うように形成されている
ことを特徴とする請求項１から５のいずれかに記載の電子装置。
【発明の詳細な説明】
【０００１】
【発明の属する技術分野】
本発明は、カメラユニットを搭載した携帯電話機、ＰＤＡ（ＰｅｒｓｏｎａｌＤｉｇｉｔａｌ  Ａｓｓｉｓｔａｎｔ）、デジタルカメラ、ノートパソコン等の電子装置に関するものである。
【０００２】
【従来の技術】
カメラユニットを搭載した携帯電話機、ＰＤＡ、デジタルカメラ、ノートパソコン等の携帯可能な電子装置である携帯端末装置の需要が高まりつつある。
【０００３】
この種の電子装置としては、たとえば、携帯電話機等の携帯端末装置に着脱自在に装着し、情報通信機能によって送受話信号とともに画像等を送受信するアダプタにおいて、回動自在に軸支し、回動方向に従って撮影方向を変更することができる撮像部を設けた装置が提案されている（たとえば、特許文献１参照）。
【０００４】
【特許文献１】
特開平１１−１６４２７３号公報
【０００５】
【発明が解決しようとする課題】
特許文献１に記載の装置では、撮影方向を自在に変更することができることから、ＬＣＤ等の表示部を見ながら被写体を随意に撮影することができるという撮影方向性に優れているという利点がある。
しかしながら、使用時には、接続すべき電子装置に対してアダプタを装着したり外したりする煩雑な作業が必要であり、また、本体の電子装置と別にカメラユニットを備えたアダプタの携帯する必要があり、使い勝手等の面で問題がある。
【０００６】
そこで、近年、回転可能なカメラユニットを一体的に組み込んだ、携帯電話、ＰＤＡ、デジタルカメラ、ノートパソコン等の携帯端末装置が実用に供されている。
カメラユニットを搭載した携帯端末装置としては、たとえば、下部筐体と上部筐体とヒンジ部と撮影部と連動機構とを備え、撮影部がヒンジ部の端部に回動可能に設けられており、上部筐体の回動動作および指などによる摘み手動での回動動作で自由に回動角度を調整できるようになっているものがある。
【０００７】
携帯端末装置はユーザは手で頻繁に触れるが、このときユーザが静電気帯電していると、端末装置の金属部に静電気が飛ぶ。静電気が端末装置の回路内の信号ライン（たとえば銅箔パターン）に飛び込むと、静電気のエネルギーが信号ライン上を伝わり、電気部品の破壊や製品の端末装置の予期せぬ異常動作を引き起こす。通常、携帯端末装置では、端末装置の上部筐体の表面側等に、静電気対策のため金属等によりシールドを施しているのが現状であるが、筐体の重量の増大、設計自由度の低下といった問題がある。
【０００８】
そして、上述したように、回転可能なカメラユニットを一体的に組み込み、ユーザの指などによる摘み手動での回動動作で自由に回動角度を調整できるようになっている携帯端末装置においては、カメラユニットが静電気の影響を受ける可能性は非常に高いが、従来の端末装置においては、回転可能なカメラユニット自信に対して効果的な静電気対策がなされていないのが現状である。
【０００９】
本発明の目的は、一体的に搭載されたカメラユニットへの静電気の影響を効果的に除去し得る電子装置を提供することにある。
【００１０】
【課題を解決するための手段】
上記目的を達成するため、本発明の観点は、筐体と、上記筐体に配置されたカメラユニットと、を有し、上記カメラユニットは、撮像手段と、少なくとも一つの開口部が形成され、上記筐体の所定の位置に配置されるケーシングと、上記撮像手段が収容され、当該撮像手段における被撮像対象を撮像するための撮像部が上記開口部に位置可能に上記ケーシングに回転可能に軸支された回転体と、上記開口部において上記回転体の側面近傍に位置するように設けられた導電体と、を含む。
【００１１】
好適には、導電体は、複数の爪片を有する。
【００１２】
好適には、上記筐体内に、上記カメラユニットのケーシングを収容可能な収容部と、装置用グランドラインとが形成され、上記導電体は、上記ケーシングに取り付けられ、当該ケーシングが上記筐体の収容部に収容された際に上記装置用グランドラインと電気的に接続可能に形成されている。
【００１３】
好適には、上記筐体は、少なくとも上記カメラユニットが収容される基体部と、上記基体部の収容側の第１面を覆うように当該基体部に取り付け可能な蓋体部とを有し、上記基体部および上記蓋体部の少なくとも一方に、上記カメラユニットの開口部と対向し、外部側から少なくとも上記撮像部を含む回転体に対して回転力を付与可能な開口部が形成されている。
【００１４】
また、好適には、上記回転体には、上記撮像手段の撮像部に対して並列に発光部が収容されており、上記発光部の近傍に配置される導電体の爪片は、他の位置の爪片より幅広に形成されている。
【００１５】
また、上記回転体は、円筒状に形成され、上記導電体は、上記回転体を上記開口部に臨む一部を除いて覆うように形成されている。
【００１６】
【発明の実施の形態】
以下、本発明の実施形態を添付図面に関連付けて説明する。
【００１７】
図１および図２は、本発明に係る電子装置としての携帯電話機の一実施形態を示す図であって、図１は本発明を適用した携帯電話機（携帯端末装置）の開いた状態を前面側から見た斜視図であり、図２は本発明を適用した携帯電話機（携帯端末装置）の開いた状態を裏面側から見た斜視図である。
この携帯電話機は、携帯端末本体として、下部筐体（第２筐体）１と、上部筐体（第１筐体）２と、ヒンジ部３とを有している。
【００１８】
下部筐体１は、テンキーボタン１１ａと、カーソルボタン１１ｂと、決定ボタン１１ｃとを有する操作部１１が配置されている。
上部筐体２は、表示部２１と、回転可能なカメラユニット２２とが配置されている。そして、カメラユニット２２の上部筐体２のヒンジ部３の近傍に配置され、上部筐体２の前面側（カメラユニット２２や回路基板等が搭載される基体部を覆う蓋体部側）および裏面側（カメラユニット２２や回路基板等が搭載される基体部側）には、カメラユニット２２の撮像部を開口部と対向し、ユーザの指などによる摘み手動での回動動作で自由に回動角度を調整できるように所定の大きさの開口部４ａ，４ｂが形成されている。
表示部は、上部筐体２の前面側（カメラユニット２２や回路基板等が搭載される基体部を覆う蓋体部側）に形成されるメイン表示部２１ａと裏面側（カメラユニット２２や回路基板等が搭載される基体部側）に形成されるサブ表示部２１ｂとを含む。
【００１９】
ヒンジ部３は、下部筐体１の端部と一体化された下部ヒンジ３ａと、上部筐体２の端部と一体化された上部ヒンジ３ｂとを備え、下部筐体１と上部筐体２とを連結し、下部筐体１に対して上部筐体２を回動可能となるように支持している。この携帯電話機は、非使用時には、下部筐体１の操作部１１を有する面と上部筐体２の表示部２１を有する面とが向かい合うようにヒンジ部３を支点として折り畳み可能となっている。
【００２０】
表示部２１は、たとえば液晶表示装置（ＬＣＤ）によって構成され、操作部１１によって入力された文字等の情報、携帯端末装置内に内蔵された図示しないメモリに記憶されている文字あるいは画像等の情報、操作部１１を操作してカメラユニット２２を用いて撮影された画像等の情報、および携帯端末装置内に内蔵された図示しない送受信装置によって送受信された画像等の情報が表示される。
これは、下部筐体１内に回路基板部が収容されており、この回路基板部と、フレキシブル配線基板、上部筐体２内に配置された中継基板部を通して上部筐体２内に配置されたバイブレータ等の駆動系電子部品とロジック系基板とが接続されていることにより、操作部１１の操作に応じた各種動作が行われる。
【００２１】
図３および図４は、上部筐体２の基体部側の内部構造を示す図である。
基体部２００の内部側は、ヒンジ部３の近傍にカメラユニット２２、および駆動系電子部品であるバイブレータ用モータ等を配置する駆動系配置領域２１０と、メイン表示部（ＬＣＤ）２１ａやメインＬＣＤ２１ａと反対側の面に配置されるサブＬＣＤ（図３には図示せず）２１ｂ、ＤＳＰ基板ＰＲＴＢ等が配置される駆動系配置領域２１０に壁状の境界部２３０を介して隣接するロジック系配置領域２２０が形成されている。ここで、カメラユニット２２自体は駆動系配置領域２１０に配置されるが、その電気的接続に関しては、後述するように、フレキシブル配線基板２６においてロジック系配置領域２２０においてなされている。
なお、ロジック系配置領域２２０の領域２２１には、サブＬＣＤ２１ｂが所定のユニット体として、領域２２１を配線されるフレキシブル配線基板を基体部２００の内面と挟持するように装着される。
【００２２】
本実施形態においては、図５に示すように、シグナルグランドと静電用グランドとを分けて構成しており、静電用グランド部２４０が、ＤＳＰ基板ＰＲＴＢの周辺部に形成されている。
基本的に、図５に示すように、シグナルグランドＳＧＮＤには、メインＬＣＤ２１ａ、サブＬＣＤ２１ｂ、カメラユニット２２、ＤＳＰ（ＩＣ）２２２等が、フレキシブル配線基板等を介して接続される。
静電用グランドＳＥＧＮＤ（２４０）には、バイブレータ用モータ５が後述するように導電体（板金）により接続される。
【００２３】
図６は、駆動系配置領域２１０の概要を示す斜視図である。
駆動系配置領域２１０には、カメラユニット２２とバイブレータ用モータ５を並列に搭載するケーシングを収容するための第１収容部２１１と、第１収容部２１１の図中右側と重なるように形成されたフレキシブル配線基板等の中継基板部を収容する第２収容部２１２とが設けられている。
第１収容部２１２は、後述するように、円筒状のカメラユニットの回転体、およびケーシングに取り付けられ、静電用グランドＳＥＧＮＤへの接続経路として形成され、かつ、カメラユニット２２近傍の静電気を吸収するために回転体の周囲近傍に配置される導電体を容易に収容できるような窪み２１１ａを設けている。そして、底面側は、基体部２００（裏面）側の開口部４ｂが形成されている。
【００２４】
次に、カメラユニット２２について、図４、および図７〜図９に関連付けて説明する。
【００２５】
カメラユニット２２は、図に示すように、上部筐体２に内蔵され、上部筐体２の幅方向に延在するように略円筒状に形成されている。このカメラユット２２は、軸２２ａを有して軸２２ａの両端を上部筐体２内で回動可能に支持された回転体２３と、回転体２３内に配置された撮像部としてのカメラモジュール２４および発光部２５と、回転体２３の端部に設けられ、カメラモジュール２４および発光部２５に接続されたフレキシブル配線基板２６を備えている。
【００２６】
カメラユニット２２は、図１に示すようにメイン表示部２１側にカメラモジュール２４が向いた状態で撮影すると、メイン表示部２１ａを見ながらメイン表示部２１ａ側の被写体が撮影可能となる。
一方、メイン表示部２１ａ側にカメラモジュール２４が向いた状態から、回転体２３の端部を指等で摘みながら上部筐体２内で１８０度回転させると、図２に示すようにメイン表示部２１ａの反対側にカメラモジュール２４が向いた状態となり、この状態で撮影すると、メイン表示部２１ａを見ながらメイン表示部２１ａの反対側にある被写体が撮影可能となる。
【００２７】
カメラユニット２２は、上部筐体２内においてケーシング２ａに格納されている。このケーシング２ａの外側には、静電対策用の板金である第２導電体２ｂがセットされている。また、ケーシング２ａは、長手方向に隣接してバイブレータ用モータ５をセットするためのモータセット部６が並設されている。
ケーシング２ａは、図４および図７に示すように、上部および下部が開口しており、この開口部に回転体２３が収容される。
そして、ケーシング２ａの一側部を除く３つの側部に配置されるように、一体的に第２導電体２ｂがセットされる。
第２導電体２ｂの一端部は、ケーシング２ａが駆動系配置領域２１０の第１収容部２１１に収容された際に、ロジック系配置領域２２０に位置し、ロジック系配置領域２２０に配置されたＤＳＰ基板ＰＲＴＢの周辺に形成された静電用グランドに２４０に接続可能な接点端子２５０が形成されている。
また、ケーシング２ａの長手方向の両側部に位置する第２導電体２ｂの上部および下部には、静電気を飛び込ませ吸収し、接点端子２５０を介して静電用グランド２４０に流す目的で、円筒状をなす回転体２３の側面に沿うように複数の爪片２５１が形成されている。
このような複数の爪片２５１は、配置位置に応じて幅が異なるように形成される。たとえば発光部２５の近傍に位置する爪片２５１ａは、静電気を飛び込ませ吸収し易くするために他の爪片より、幅広に形成される。
【００２８】
このように静電気吸収用の複数の爪片を形成したことにより、ケーシング２ａに対して回転体２３の位置を固定し易くなり、回転体２３に対する外部からの力や衝撃を緩和することができ、また、筐体を金属製にする必要がなくなり、材料コストを低く抑えることができる。
ここでは、静電気吸収用の複数の爪片を形成した例を説明したが、一体的な平板状にしても静電気を吸収することが可能である。この場合、外部からの力や衝撃を緩和するのに効果的である。
【００２９】
回転体２３は、同軸で直径の異なる大径部２３ａと小径部２３ｂとを備えて構成され、それら大径部２３ａと小径部２３ｂとが連結されている。また、大径部２３ａの小径部２３ｂ側の端部には、回転体２３を指で摘んで容易に回転可能となるように、複数の凹部２３ｃが外周に設けられている。
また、回転体２３は、その内部にカメラモジュール２４、発光部２５およびフレキシブル配線基板２６が取り付け可能となるように、上下に分割可能な構成とされている。また、回転体２３の側面には、カメラモジュール２４および発光部２５が外部から視認可能となるようにそれぞれ開口部２３ｄ，２３ｅが設けられ、それら開口部２３ｄ，２３ｅには、カメラモジュール２４の撮影窓および発光部２５の発光面を保護するように、それぞれ透明板２３ｆ，２３ｇが設けられている。
【００３０】
カメラモジュール２４は、後述するフレキシブル配線基板２６の一方の延在部２６ａ上に配置され、その延在部２６ａに電気的に接続されている。このカメラモジュール２４は、図示しない駆動部によって被写体を撮影するものであり、たとえばＣＣＤあるいはＣＭＯＳセンサ等が使用されている。
発光部２５は、後述するフレキシブル配線基板２６の他方の延在部２６ｂ上に配置され、その延在部２６ｂに電気的に接続されている。この発光部２５は、カメラモジュール２４で被写体を撮影する際、図示しない駆動部によって被写体を撮影すると同時に発光するようになっており、たとえば白色ＬＥＤが用いられている。
上述したように、この発光部２５の近傍に位置する爪片２５１ａは、静電気を飛び込ませ吸収し易くするために他の爪片より、幅広に形成されている。
発光部２５の照射光は、撮像の補助に用いられるような強い光であり、ＬＣＤのガラス基板等に強く照射されると、ＴＦＴの照射光に基づくリーク電流等の問題からＬＣＤが誤動作等が発生する可能性があるが、発光部２５の近傍に位置する爪片２５１ａを、他の爪片より、幅広に形成したことにより、ＬＣＤの誤動作等を防止するのに役立つ。
また、円筒状の回転体２３の側部に沿った形態で各爪片２５１，２５１ａを形成することが容易であり、ケーシング２ａを第１収容部２１１に収容する際に、これら爪片２５１，２５１ａは駆動系配置領域２１０の第１収容部２１１に形成した窪み２１１ａに入り込むことから、位置決め自体が容易となるという利点がある。
また、この場合、筐体に爪のような金属片を極力露出させることなく、かつ、筐体の強度を保持した状態で指の触れるぎりぎりのところまで爪片を設けることができる。その結果、カメラユニット２２を回転させる指の静電気を受けやすくすることができ、ひいては、カメラユニット２２へ静電気が入り込むことを防止できる。このように、静電気のカメラユニット２２への侵入を効果的に防止できることから、ノイズが極めて少ないより鮮明な撮影画像を得られるようになる。
【００３１】
フレキシブル配線基板２６は、図１０に示すように、回転体２３の軸方向に延在する一方の延在部２６ａおよび他方の延在部２６ｂを有し、かつ回転体２３の軸方向と垂直に延在する延在部２６ｃを有して略丁字状に形成されている。このフレキシブル配線基板２６には、一方の延在部２６ａにカメラモジュール２４の制御部品としてのコンデンサ２４ａ、抵抗器２４ｂ、フェライトビーズ２４ｃ、ダイオード２４ｄが設置され、他方の延在部２６ｂに発光部２５の制御部品としてのコンデンサ２５ａ、抵抗器２５ｂ、フエライトビーズ２５ｃ、ダイオード２５ｄが設置されている。これらの制御部品は、カメラモジュール２４および発光部２５の近傍に設置されている。そして、フレキシブル配線基板２６の延在部２６ｃは、カメラユニット２２を電気的に接続している。
【００３２】
フレキシブル配線基板２６は、延在部２６ｂが折り曲げられて延在部２６ａの上部に重ねられている。このとき、カメラモジュール２４と発光部２５とがいずれも回転体２３の開口部２３ｄ，２３ｅから視認できるような配置になっている。
また、フレキシブル配線基板２６は、このように延在部２６ｂが折り曲げられて延在部２６ａの上部に重ねられた状態で延在部２６ａと延在部２６ｂとが回転体２３内に収納されている。
延在部２６ｂには、発光部２５から発光された光を反射されるように、その発光部２５の周囲を覆うように反射板２５ｄが設けられている。
【００３３】
また、フレキシブル配線基板２６は、上下に分割された回転体２３を接合させてカメラモジュール２４、発光部２５、その他各構成要素を回転体２３内に収納すると延在部２６ｃが回転体２３の外部に延設された状態となる。この延在部２６ｃは、図１１および図１２に示すように、回転体２３の小径部２３ｂの外周に隙間を有しながら巻回される。
カメラユニット２２は、延在部２６ｃが回転体２３の小径部２３ｂの外周に隙間を有しながら巻回された状態でケーシング２ａに収納される。
【００３４】
また、回転体２３を構成する大径部２３ａの端部には、図１３に示すような、回転させたカメラユット２２を所定の位置で固定させておくために、クリック機構２７が設けられている。このクリック機構２７は、ケーシング２７ａと、ケーシング２７ａ内に設けられたバネ２７ｂと、バネ２７ｂによって回転体２３に押え付けられる金属球２７ｃとを備えている。
【００３５】
バネ２７ｂは、ケーシング２ａの外部に設けられた板金２ｂによってケーシング２７ａの外部から押えられている。また、金属球２７ｃが接触する大径部２３ａの端部には切欠き部２３ｈが設けられており、指で摘んで回転させたカメラユニット２２を停止させる場合、バネ２７ｂの弾性力によって大径部２３ａの端部に押圧されている金属球２７ｃが切欠き部２３ｈに嵌ることでカメラユニット２２が所定の位置で固定される。
【００３６】
また、カメラユニット２２の端部には、カメラユニット２２が回転する際、その位置を検出する回転位置検出スイッチ２８が設けられている。この回転位置検出スイッチ２８は、２つのスイッチ２８ａ，２８ｂで構成されており、カメラモジュール２４の透明板２３ｆが一方の面に向いている位置、カメラモジュール２４の透明板２３ｆが他方の面に向いている位置、およびカメラモジュール２４の透明板２３ｆが隠れる位置のいずれかに設定されるカメラユニット２２の位置を検出するようになっている。
【００３７】
たとえば、カメラユニット２２の透明板２３ｆが一方の面に向いている位置にある場合、スイッチ２８ａが入り、スイッチ２８ｂが切られる。カメラモジュール２４の透明板２３ｆが他方の面に向いている位置にある場合、スイッチ２８ａが切られ、スイッチ２８ｂが入れられる。また、カメラモジュール２４の透明板２３ｆが隠れる位置にある場合、スイッチ２８ａ，２８ｂの双方が切られるようになっている。
【００３８】
また、上述したように、上部筐体２の駆動系配置領域２１０には、カメラユニット２２とバイブレータ用モータ５を並列に搭載するケーシング２ａを収容するための第１収容部２１１と、フレキシブル配線基板等の中継基板部を収容する第２収容部２１２とが設けられている。
そして、この中継基板部は、カメラユニット２２のケーシング２ａのフレキシブル配線基板２６の巻き回し部の収納部およびバイブレータ用モータ５の収容部６とが、基体部２００との間に位置するように配置される。
【００３９】
図１４は、ケーシング２ａと中継基板部７を下面側から見た斜視図である。
図１４に示すように、中継基板部７の下面側においては、いわゆるフレキシブル配線基板のたとえばバイブレータ用モータ５のグランド等の静電用グランド７ａが露出されている。
そして、本実施形態においては、駆動系配置領域２１０とロジック系配置領域２２０との境界部２３０の所定の位置に係架可能な係架部８ａが形成され、ケーシング２ａの側部から中継基板部７の露出した静電用グランド７ａに到達し接触可能な第１接続子８ｂと、係架部８ａを境界部２３０の所定の位置に係架させ、第１接続子８ｂを中継基板部７の露出した静電用グランド７ａに接続した状態で、ケーシング２ａの側部にセットされた第２導電体２ｂに接触可能の第２接続子８ｃが形成された板金である第１導電体８を有する。
この中継基板部７の露出した静電用グランド７ａ、第１導電体８の第１の接続子８ｂ、第２の接続子８ｃ、第２導電体２ｂ、接点端子２５０、ＤＳＰ基板ＰＲＴＢの周辺部に形成された静電用グランド２４０とが接続されて、静電用グランドラインが、シグナルラインとは別に、板金による第１導電体８および第２導電体２ｂにより形成される。
【００４０】
また、図１４において、符号９ａで示すフレキシブル配線基板は、下部筐体１内に回路基板部が収容された回路基板部と、中継基板部７とを接続するフレキシブル配線基板であり、符号９ｂで示すフレキシブル配線基板は、上部筐体２内に配置された中継基板部７と、ロジック系配置領域２２０に配置されたＤＳＰ基板ＰＲＴＢと接続するためのフレキシブル配線基板である。
フレキシブル配線基板９ａには、シグナルグランドと静電用グランドが含まれ、静電用グランドは、中継基板部７から別経路をとる。それが、上述したように、静電用グランド７ａ、第１導電体８の第１の接続子８ｂ、第２の接続子８ｃ、第２導電体２ｂ、接点端子２５０、ＤＳＰ基板ＰＲＴＢの周辺部に形成された静電用グランド２４０を通るのに対し、シグナルグランドは中継基板部７からそのままフレキシブル配線基板９ｂを経由してＤＳＰ基板ＰＲＴＢと接続される。
すなわち、本実施形態においては、極めて狭い筐体内の限られた領域にもかかわらず、シグナルグランドと静電用グランドとを極力接近させないようなグランド配線を実現している。その結果、両グランドが近接すると発生し易い電磁誘導や容量結合などにより、ノイズの影響を極力回避したいシグナルグランドへの静電ノイズが入ることを防止でき、ひいてはロジック系回路の誤動作等を防止できる利点がある。
【００４１】
また、ケーシング２ａの巻き回し部の収納部は上下とも開口している。
そして、本実施形態では、このケーシング２ａの巻き回し部の収納部の下方側の開口を塞ぎ、さらに、延設されたフレキシブル配線基板２６の一面側に貼付した導電体テープ１０が配置されている。
この導電体テープ１０は、カーボンテープなどからなり、フレキシブル配線基板２６の巻き回し部の外部からの保護機能を有するとともに、フレキシブル配線基板２６を高周波的に接地状態として、延設されて長く、しかも巻き回し部を形成したことによるフレキシブル配線基板２６がアンテナと同じ効果を持ち、不要輻射による無線機能の劣化を防止している。
すなわち、巻き回したフレキシブル配線基板２６自体がアンテナと同じ効果をを持つようになったとしても、フレキシブル配線基板２６の信号ラインからの高周波ノイズの不要輻射を抑止することが可能となる。その結果、高周波ノイズが無線機系のアンテナに入り、無線受信感度が劣化したり、カメラユニット２２やロジック系回路の誤動作や破壊を防止することができる。
【００４２】
また、導電体テープ１０は、デジタルグランドを避け、装置用グランドであるフレームグランド等、ノイズの少ないグランドと接触するように配置することが望ましい。たとえば中継基板部７とフレキシブル配線基板９ａ，９ｂの接続部のたとえば一面側にある程度の面積を持ったグランド部（図示せず）を形成し、このグランド部と面接触するように接続させる。
フレキシブル配線基板２６が、シグナルグランドとグランドラインとの２層構造を有することから、この導電体テープ１０は、フレキシブル配線基板２６の少なくともシグナルグランドが配線されている側の面に配置することがフレキシブル配線基板２６の信号ラインからの高周波ノイズの不要輻射を抑止するのに効果的である。
また、本実施形態では、導電体テープ１０は、ロジック系配置領域２２０の領域２２１に装着されるサブＬＣＤ２１ｂが所定のユニット体として、領域２２１を配線されるフレキシブル配線基板２６を基体部２００の内面と挟持する位置まで配置して、安定した接触状態および接触面積をかせぐように構成することが好ましい。これにより、安定して高周波ノイズの不要輻射を抑止することが可能となる。
【００４３】
次に、上記の構成からなる携帯電話機の機能および作用について説明する。
【００４４】
まず、上部筐体２の駆動系配置領域２１０とロジック系配置領域２２０との境界部２３０の所定の位置に第１導電体８の係架部８ａを係架させ、第１接続子８ｂの先端部を駆動系配置領域２１０の第２収容部２１２の所定の位置に位置させる。このとき、第１導電体８の第２接続子８ｃは、境界部２３０に沿って、後で第１収容部２１１に収容されるケーシング２ａにセットされた第２導電体２ｂと接触可能な状態となっている。
この状態で、中継基板部７の露出した静電用グランド７ａを下方として第２収容部２１２に中継基板部７をセットする。これにより、静電用グランド７ａと第１導電体８の第１接続子８ｂが電気的に接続された状態となる。
また、ロジック系配置領域２２０には、周辺部に静電用グランド２４０が形成されたＤＳＰ基板ＰＲＴＢ等が所定の位置にセットされる。
そして、たとえば中継基板部７に接続されたフレキシブル配線基板９ｂがＤＳＰ基板ＰＲＴＢの所定のコネクタに接続される。
【００４５】
次に、駆動系配置領域２１０の第１収容部２１１に対してカメラユニット２２およびバイブレータ用モータ５を収容させたケーシング２ａが収容される。
これにより、ケーシング２ａのモータ５ａの接続端子が中継基板部７の図示しない端子と電気的に接続される。
さらに、中継基板部７はケーシング２ａにより所定の押圧力を受けるために、静電用グランド７ａと第１導電体８の第１接続子８ｂとの電気的接続状態が安定に保持される。
また、第１導電体８の第２接続子８ｃが、ケーシング２ａにセットされている第２導電体２ｂと接触しその状態が安定に保持される。
そして、第２導電体２ｂに形成された弾性を有する接点端子２５０がロジック系配置領域２２０に配置されたＤＳＰ基板ＰＲＴＢ周辺部の静電用グランド２４０と接続され、その状態が保持される。
その結果、中継基板部７の露出した静電用グランド７ａ、第１導電体８の第１の接続子８ｂ、第２の接続子８ｃ、第２導電体２ｂ、接点端子２５０、ＤＳＰ基板ＰＲＴＢの周辺部に形成された静電用グランド２４０とが接続されて、静電用グランドラインが、シグナルラインとは別に、板金による第１導電体８および第２導電体２ｂにより形成される。
また、カメラ用フレキシブル配線基板２６がＤＳＰ基板ＰＲＴＢの所定のコネクタに接続される。
そして、たとえばロジック系配置領域２２０の領域２２１に装着されるサブＬＣＤ２１ｂが所定のユニット体として、領域２２１を配線されるフレキシブル配線基板２６を基体部２００の内面と挟持するようにセットされる。このとき、フレキシブル配線基板２６に貼付された導電体テープ１０も挟持され、安定した接触状態および接触面積を保持する。導電体テープ１０はフレームグランドとも接続された状態に保持される。
これにより、フレキシブル配線基板２６は高周波的に接地された状態となり、フレキシブル配線基板による高周波ノイズの輻射を防止でき、ひいては無線通信感度の劣化が防止される。
【００４６】
このような構造を有する携帯電話機を用いて被写体の撮影を行う場合、カメラモジュール２４および発光部２５が被写体に向くように、カメラユニット２２に設けられたカメラモジュール２４の透明板２３ｆを回転させた後、下部筐体１に設けられた操作部１１の決定ボタン１１ｃを押下することによって撮影する。
この場合、ケーシング２ａの長手方向の両側部に位置する第２導電体２ｂの上部および下部には、静電気を飛び込ませ吸収し、接点端子２５０を介して静電用グランド２４０に流す目的で、円筒状をなす回転体２３の側面に沿うように複数の爪片２５１が形成されていることから、カメラユニット２２への静電気は、爪片２５１、第２導電体２ｂ、接点端子２５０を介して静電用グランド２４０に放電され、カメラユニット２２への静電気の影響が効果的に除去される。
【００４７】
そして、携帯電話機を用いて被写体の撮影を行う際、携帯電話機が非使用時に折り畳まれた状態から、下部筐体１に重ね合わされている上部筐体２を手で開き、表示部２１を見ながら操作部１１を操作して撮影の設定を行い、必要に応じて発光部２５が撮影と同時に作動するように設定し、上部筐体２に設けられたカメラユニット２２を回転させて透明板２３ｆと透明板２３ｇとを被写体の方向に向けた後、決定ボタン１１ｃを押下して撮影する。
【００４８】
たとえば図１１により、カメラユニット２２を回転させてカメラモジュール２４の透明板２３ｆを被写体の方向に向ける際、たとえばその回転体２３を右側面から見て時計回り方向に回転させると、その回転体２３の小径部２３ｂの外周に隙間を有しながら巻回された延在部２６ｃの端部が、小径部２３ｂの回転によって円周方向に押し付けられ、延在部２６ｃがその隙間を狭くさせるように移動して、回転体２３が回転することによって延在部２６ｃに作用する力をその延在部２６ｃの内部で吸収する。
【００４９】
同じく図１１によれば、カメラユニット２２を回転させてカメラモジュール２４の透明板２３ｆを被写体の方向に向ける際、例えばその回転体２３を右側面から見て反時計回り方向に回転させると、その回転体２３の小径部２３ｂの外周に隙間を有しながら巻回された延在部２６ｃの端部が、小径部２３ｂの回転によって円周方向に引き付けられ、延在部２６ｃがその隙間を広くさせるように移動して、回転体２３が回転することによって延在部２６ｃに作用する力をその延在部２６ｃの内部で吸収する。
【００５０】
この場合、フレキシブル配線基板２６の延在部２６ｃの隙間が狭くなりあるいは広くなることでカメラユニット２２からフレキシブル配線基板２６の延在部２６ａ，２６ｂおよび２６ｃに対して作用する力を吸収してその伝達を回避させるため、フレキシブル配線基板２６の延在部２６ａ，２６ｂおよび２６ｃに生じる曲げおよび捩れが回避され、これら延在部２６ａ，２６ｂおよび２６ｃの破損あるいは破壊を防止することとなる。
【００５１】
また、フレキシブル配線基板２６の延在部２６ｃがケーシング２ａ内で巻回されていることにより、フレキシブル配線基板２６を設置する際に余分なスペースが排除され、フレキシブル配線基板２６を備えたカメラユニット２２がケーシング２ａ内に容易に収納されることとなる。
【００５２】
以上説明したように、本実施形態によれば、ケーシング２ａの長手方向の両側部に位置する第２導電体２ｂの上部および下部には、静電気を飛び込ませ吸収し、接点端子２５０を介して静電用グランド２４０に流す目的で、円筒状をなす回転体２３の側面に沿うように複数の爪片２５１が形成されていることから、一体的に搭載されたカメラユニットへの静電気の影響を効果的に除去することができる。
また、静電気吸収用の複数の爪片を形成したことにより、ケーシング２ａに対して回転体２３の位置を固定し易くなり、回転体２３に対する外部からの力や衝撃を緩和することができる。また、筐体を金属製にする必要がなくなり、材料コストを低く抑えることができる。
また、発光部２５の近傍に位置する爪片２５１ａは、静電気を飛び込ませ吸収し易くするために他の爪片より、幅広に形成されていることから、発光部２５の照射光がケーシング２ａの配置領域から多量に漏れて、ＬＣＤのガラス基板等に強く照射されることを回避することが可能となり、その結果、ＬＣＤの誤動作等を防止することができる。
また、円筒状の回転体２３の側部に沿った形態で各爪片２５１，２５１ａを形成することが容易であり、ケーシング２ａを第１収容部２１１に収容する際に、これら爪片２５１，２５１ａは駆動系配置領域２１０の第１収容部２１１に形成した窪み２１１ａに入り込むことから、位置決め自体が容易となるという利点がある。
また、この場合、筐体に爪のような金属片を極力露出させることなく、かつ、筐体の強度を保持した状態で指の触れるぎりぎりのところまで爪片を設けることができる。その結果、カメラユニット２２を回転させる指の静電気を吸収した訳すカメラユニット２２へ静電気が入り込むことを防止できる。このように、静電気のカメラユニット２２への侵入を効果的に防止できることから、ノイズが極めて少ないより鮮明な撮影画像を得ることができる。
【００５３】
また、フレキシブル配線基板の曲げおよび捩れによる信号線の断線を回避させ、かつ取り付け作業性を改善できることはもとより、フレキシブル配線基板による高周波ノイズの輻射を防止でき、ひいては無線通信感度の劣化を防止することができる。
【００５４】
また、シグナルグランドとは別に駆動系から静電用グランドラインを板金からなる第１導電体８および第２導電体２ｂを通して形成することから、装置およびカメラユニットへの静電気への静電気の影響を効果的に除去できる。
【００５５】
また、ヒンジ部３の近傍にバイブレータ用モータ５を配置することができることから、筐体中央近くにバイブレータ用モータを配することとなり、より筐体全体への均一な振動の伝達ができるばかりでなく、ロジック系と駆動系を区分けし、静電用グランドも別系とでき、設計が容易であり、ノイズ等にも強くなり安定した動作が可能となる。
【００５６】
また、フレキシブル配線基板２６の延在部２６ａ，２６ｂおよび２６ｃに生じる曲げおよび捩れが回避され、これら延在部２６ａ，２６ｂおよび２６ｃの破損あるいは破壊を防止することとなるので、フレキシブル配線基板２６の曲げおよび捩れによる破損あるいは破壊を回避することができる。
【００５７】
また、フレキシブル配線基板２６を設置する際に余分なスペースが排除され、フレキシブル配線基板２６を備えたカメラユニット２２がケーシング２ａ内に容易に収納されるので、カメラユニット２２の取り付け作業性がよくなるとともに、取り付け作業性がよいカメラユニット２２を搭載した携帯電話機等の電子装置を実現することができる。
【００５８】
なお、上記実施の形態において、電子装置として、携帯電話のみならず、たとえばＰＤＡ、デジタルカメラ、ノートパソコン等、カメラユニットを備えた携帯端末装置に適用してもよい。
また、上記実施の形態において、発光部のみならず、例えば音声を入力するマイク、あるいは使用者が携帯端末装置の操作内容を視認するための小型液晶画面等、携帯端末装置に新たな機能を付加する装置が内蔵されてもよい。
【００５９】
【発明の効果】
発明によれば、一体的に搭載されたカメラユニットへの静電気の影響を効果的に除去することができる。
【図面の簡単な説明】
【図１】本発明に係る電子装置としての携帯電話機の一実施形態を示す図であって、本発明を適用した携帯電話機（携帯端末装置）の開いた状態を前面側から見た斜視図である。
【図２】本発明に係る電子装置としての携帯電話機の一実施形態を示す図であって、本発明を適用した携帯電話機（携帯端末装置）の開いた状態を裏面側から見た斜視図である。
【図３】上部筐体の基体部側の内部構造を示す図である。
【図４】本実施形態に係る携帯電話機に設けられたカメラユニットの取り付け状態を示す斜視図である。
【図５】本実施形態に係るシグナルグランドと静電用グランドの接続形態を説明するための図である。
【図６】本実施形態に係る駆動系配置領域の構成例を示す斜視図である。
【図７】本実施形態に係る携帯電話機に設けられたカメラユニットの斜視図である。
【図８】図１のＡ−Ａ線断面図である。
【図９】本実施形態に係る携帯電話機に設けられたカメラユニットの展開図である。
【図１０】本実施形態に係る携帯電話機に設けられたフレキシブル配線基板の展開図である。
【図１１】本実施形態に係る携帯電話機に設けられたカメラユニットの斜視図である。
【図１２】本発明の実施の形態に係る携帯端末装置に設けられたフレキシブル基板を側面から見た拡大斜視図である。
【図１３】本実施形態に係る携帯電話機に設けられたクリック機構の断面図である。
【図１４】本実施形態に係るケーシングと中継基板部を下面側から見た斜視図である。
【符号の説明】
１…下部筐体
１１…操作部
２…上部筐体
２ａ…ケーシング
２ｂ…第２導電体
２１…表示部
２２…カメラユニット
２３…回転体
２４…カメラモジュール
２５…発光部
２６…フレキシブル配線基板
２６ａ…一方の延在部
２６ｂ…他方の延在部
２６ｃ…延在部
３…ヒンジ部
４ａ，４ｂ…開口部
５…バイブレータ用モータ
６…モータセット部
７…中継基板部
８…第１導電体
１０…導電体テープ
２００…基体部
２１０…駆動系配置領域
２２０…ロジック系配置領域
２３０…境界部
２４０…静電用グランド
２５０…接点端子
２５１，２５１ａ…爪片
【図１】
2005051430.tif 000003
【図２】
2005051430.tif 000004
【図３】
2005051430.tif 000005
【図４】
2005051430.tif 000006
【図５】
2005051430.tif 000007
【図６】
2005051430.tif 000008
【図７】
2005051430.tif 000009
【図８】
2005051430.tif 000010
【図９】
2005051430.tif 000011
【図１０】
2005051430.tif 000012
【図１１】
2005051430.tif 000013
【図１２】
2005051430.tif 000014
【図１３】
2005051430.tif 000015
【図１４】
2005051430.tif 000016